(57)【要約】【課題】  本発明は、表示パネル（フラットディスプレイパネル）の表示を、運転者が見やすく、しかも即座に必要な情報を読み取ることのできる表示装置を提供することを目的とする。【解決手段】  マトリックス状に複数の画素が形成されている表示パネルＰによって各種の様々な車両情報を表示する車両用表示装置において、前記表示パネルＰに車両情報検出手段３００から得られた前記車両情報を表示画像ＧＲとして表示させる制御手段２００と、前記表示パネルＰに表示する前記表示画像ＧＲとして、各種の前記車両情報を表示する車両情報表示画像ＧＲＤと車体図表示画像ＧＲＣとを少なくとも備え、前記表示画像の表示制御を行う前記制御手段２００によって切替手段２０１の指示に従って前記表示画像ＧＲである前記車両情報表示画像ＧＲＤと前記車体図表示画像ＧＲＣとの表示内容を切り換え表示可能に設けてなることを特徴とする車両用表示装置である。【選択図】  図２
2014046835.tif 000002
【特許請求の範囲】
【請求項１】
マトリックス状に複数の画素が形成されている表示パネルによって各種の様々な車両情報を表示する車両用表示装置において、前記表示パネルに前記車両情報を表示画像として表示させる制御手段と、前記表示パネルに表示する前記表示画像として、車両情報検出手段から得られた前記車両情報を表示する車両情報表示画像と車体図表示画像とを少なくとも備え、前記表示画像の表示制御を行う前記制御手段によって切替手段の指示に従って前記表示画像である車両情報表示画像と前記車体図表示画像との表示内容を切り換え表示可能に設けてなることを特徴とする車両用表示装置。
【請求項２】
前記車両情報表示画像には、通常走行時に必要な標準モード表示画像と車両の異常状態に対応した警告表示画像とが設けられ、前記車両情報を表示する前記車両情報表示画像と前記車体図表示画像との表示内容を切り換え表示可能に設けてなることを特徴とする請求項１に記載の車両用表示装置。
【請求項３】
前記警告表示画像には、前記車体図表示画像を警告の種別内容に応じた画像に切り換え表示するとともに、図形または文字，数値，音声などによって警告表示してなることを特徴とする請求項２に記載の車両用表示装置。
【請求項４】
各種の前記車両情報において、前記車両情報の中から任意に選定したユーザが求める情報を選択して表示してなることを特徴とする請求項１に記載の車両用表示装置。
【請求項５】
前記表示パネルにはナビ情報表示画像を設け、通常のナビ情報とユーザが求める前記車両情報の中から任意に選定した情報とを組み合わせて切り換え表示可能に設けてなることを特徴とする請求項１に記載の車両用表示装置。
【請求項６】
前記警告表示画像には、イグニッションスイッチのＯＮ信号を検出したときに運転免許証所持の有無を表示してなることを特徴とする請求項２に記載の車両用表示装置。
【請求項７】
前記警告表示画像には、イグニッションスイッチのＯＮ信号を検出したときにアルコール摂取の有無を表示してなることを特徴とする請求項２に記載の車両用表示装置。
【請求項８】
各種の前記車両情報において、車両の後方を確認する後方確認情報と前記車体図表示画像とを並べて表示してなることを特徴とする請求項１に記載の車両用表示装置。
【発明の詳細な説明】
【技術分野】
【０００１】
本発明は、例えば自動車などの車両情報（計測情報）を表示する車両用表示装置に関するものである。
【背景技術】
【０００２】
この種の車両用表示装置として例えば、液晶パネル、ＥＬパネル、その他のフラットディスプレイパネルからなる表示装置と、この表示装置に車両情報例えば車輪の回転をスピードに変換する回転速度センサやエンジン回転数を計測するエンジン回転センサあるいは燃料量を検出する液量センサ、エンジンの水温を検出する温度センサ、バッテリーの電圧を検出するセンサ、ギヤポジション位置を検出するセンサ等から得られた車両情報（計測情報）を画像として表示させるマイコンを含む制御手段とを備えている。
【０００３】
例えば液晶によるマトリックス状に複数の画素が形成されているフラットディスプレイパネルなどにあっては、例えば車速やエンジン回転数を指針に模した表示像からなるアナログ表示画像にて表示するもの（特許文献１）やデジタル表示画像にて表示するもの（特許文献２）あるいはアナログ表示と画像とデジタル表示画像とを併記するように表示するもの（特許文献３）などが知られている。
【先行技術文献】
【特許文献】
【０００４】
【特許文献１】特開２００４ー１５７４３４号公報
【特許文献２】特開２００５−３０８４８９号公報
【特許文献３】特開２００８−２５４５３９号公報
【発明の概要】
【発明が解決しようとする課題】
【０００５】
しかし、フラットディスプレイパネルからなる表示装置においては、車両情報として各種のセンサからの信号に基づいて、例えば車両の速度を表示する速度計、エンジンの回転数を表示するエンジン回転計、車両の燃料量を計測表示する燃料計、エンジンを冷却する水温を表示する温度計、車両の走行距離を表示する走行距離計（オドメータ、トリップメータ）、ギヤの位置を表示するギヤポジション表示器などからなる通常走行時に必要な標準モード表示画像と、そして車両の状態を表示したり、車両の状態を監視する集中ウォーニング表示器などの警告表示画像とを備えている。このように、標準モード表示画像と、集中ウォーニング表示器（警告表示画像）などの様々な表示画像が表示パネル上に表示されるため、必要とする情報が即座に判別することができないという問題点があった。
【０００６】
そこで、本発明は、上述した課題に着目してなされたものであり、マトリックス状に複数の画素が形成されている表示パネル（フラットディスプレイパネル）の表示を、運転者が見やすく、しかも即座に必要な情報を読み取ることのできる表示装置を提供することを目的とするものである。
【課題を解決するための手段】
【０００７】
本発明は前述した課題を解決するため、請求項１では、マトリックス状に複数の画素が形成されている表示パネルによって各種の（様々な）車両情報を表示する車両用表示装置において、前記表示パネルに前記車両情報を表示画像として表示させる制御手段と、前記表示パネルに表示する前記表示画像として、車両情報検出手段から得られた各種の前記車両情報を表示する車両情報表示画像と車体図表示画像とを少なくとも備え、前記表示画像の表示制御を行う前記制御手段によって切替手段の指示に従って前記表示画像である前記車両情報表示画像と前記車体図表示画像との表示内容を切り換え表示可能に設けてなることを特徴とする車両用表示装置である。
【０００８】
このように構成することにより、車両情報検出手段から得られた車両情報を表示画像として車両情報表示画像と車体図表示画像として併記して表示することにより、車両運転時において、表示パネル（表示画像）の表示制御を行う制御手段によって切替手段の指示に従ってタイムリーに必要とする表示画像が判読すること（判別すること）ができるため、安全性を確保しつつ見やすい車両用表示装置を提供することができる。
【０００９】
また請求項２では、請求項１に記載の車両用表示装置において、前記車両情報表示画像には、通常走行時に必要な標準モード表示画像（車両走行時に必要な標準モード表示画像）と車両の異常状態に対応した警告表示画像とが設けられ、前記車両情報を表示する前記車両情報表示画像と前記車体図表示画像との表示内容を切り換え表示可能に設けてなることを特徴とする車両用表示装置である。
【００１０】
このように構成することにより、通常走行時に必要な標準モード表示画像と車両の異常状態に対応した警告表示画像とを車体図表示画像と併記して表示することにより、警報表示を行う表示項目を強調して表示することができるとともに、斬新な演出効果を達成することができる。
【００１１】
また請求項３では、請求項２に記載の車両用表示装置において、前記警告表示画像には、前記車体図表示画像を警告の種別内容に応じた画像に切り換え表示するとともに、図形または文字，数値，音声などによって警告表示してなることを特徴とする車両用表示装置である。
【００１２】
このように構成することにより、車体図表示画像を警告の種別内容に応じた画像に切り換え表示することによって、図形化した車体図により視認性を良好にしつつ躍動感が得られ、警報表示を行う表示項目を強調して表示することができるとともに、文字，数値，音声などによる警告表示によって即座に判別することが可能となる。
【００１３】
また請求項４では、請求項１に記載の車両用表示装置において、各種の前記車両情報の中から任意に選定したユーザが求める情報を選択して表示してなることを特徴とする車両用表示装置である。
【００１４】
このように構成することにより、運転者が任意に選択した表示項目の情報を強調して画像表示することができ、しかも即座に判別することが可能となる。
【００１５】
また請求項５では、請求項１に記載の車両用表示装置において、前記表示パネルにはナビ情報表示画像を設け、通常のナビ情報とユーザが求める前記車両情報の中から任意に選定した情報とを組み合わせて切り換え表示可能に設けてなることを特徴とする車両用表示装置である。
【００１６】
このように構成することにより、市販のナビ情報に加え、ユーザが求める車両情報の中から任意に選定した情報とを組み合わせて切り換え表示可能とすることによって、運転者が任意に選択した表示項目の情報を強調して画像表示することができ、斬新な演出効果を達成することができる。
【００１７】
また請求項６では、請求項２に記載の車両用表示装置において、前記警告表示画像には、イグニッションスイッチのＯＮ信号を検出したときに運転免許証所持の有無を表示してなることを特徴とする車両用表示装置である。
【００１８】
このように構成することにより、例えば警告表示画像の一つとして免許証不携帯時であることを知らせる表示画像を表示したり、車体図表示画像の中に警告表示画像の一つとして免許証不携帯時であることを知らせる表示画像を組み込んで表示することにより、瞬時に判別することができ、運転を見合わせることができるものであり安全運転に寄与することができるという効果がある。
【００１９】
また請求項７では、請求項２に記載の車両用表示装置において、前記警告表示画像には、イグニッションスイッチのＯＮ信号を検出したときにアルコール摂取の有無を表示してなることを特徴とする車両用表示装置である。
【００２０】
このように構成することにより、例えば車両の運転座席に着座した際に運転者がアルコールを摂取していることを呼気検出などのセンサなどを介して摂取したか否かを表示パネルＰの警告表示画像ＧＲ２において表示することによって瞬時に判別することができ、これにより車両の運転を行うのに不適切であることが即座に理解することができ、これにより運転を中止ことができるため安全運転に寄与することができるという効果がある。
【００２１】
また請求項８では、請求項１に記載の車両用表示装置において、各種の前記車両情報において、車両の後方を確認する後方確認情報と前記車体図表示画像とを並べて表示してなることを特徴とする車両用表示装置である。
【００２２】
このように構成することにより、車両情報の一つとして車両の後方を確認する後方確認車両情報を車体図表示画像と並べて表記することにより、安全性を確認しながら所定の場所まで後退することが可能となる。
【発明の効果】
【００２３】
本発明では、マトリックス状に複数の画素が形成されている表示パネルＰによって各種の様々な車両情報Ｄを表示する車両用表示装置ＤＳＰにおいて、前記表示パネルＰに前記車両情報Ｄを表示画像ＧＲとして表示させる制御手段２００と、前記表示パネルＰに表示する前記表示画像ＧＲとして、車両情報検出手段３００から得られた各種の前記車両情報Ｄを表示する車両情報表示画像ＧＲＤと車体図表示画像ＧＲＣとを少なくとも備え、前記表示画像の表示制御を行う前記制御手段によって切替手段の指示に従って前記表示画像ＧＲである前記車両情報表示画像ＧＲＤと前記車体図表示画像ＧＲＣとの表示内容を切り換え表示可能に設けてなることを特徴とする車両用表示装置であるため、車両情報検出手段３００から得られた車両情報Ｄを表示画像ＧＲとして車両情報表示画像ＧＲＤと車体図表示画像ＧＲＣとして併記して表示することにより、車両運転時において、表示パネルＰ（表示画像ＧＲ）の表示制御を行う制御手段２００によって切替手段２０１の指示に従ってタイムリーに必要とする表示画像ＧＲが判読すること（判別すること）ができるため、安全性を確保しつつ見やすい車両用表示装置ＤＳＰを提供することができ、これにより所期の目的を達成することができる。
【図面の簡単な説明】
【００２４】
【図１】本発明の第１の実施形態である車両用指示計器（車両用表示装置）の電気的構成を示すブロック図である。
【図２】図２は、本発明の第１の実施形態であるフラットディスプレイパネルからなる車両用指示計器（車両用表示装置）の表示画像（車両情報表示画像と車体図表示画像）であり、特に車両情報表示画像である「標準モード表示画像」と「警告表示画像」の一例を示す正面図である。
【図３】図３は、車両用表示装置の車両情報表示画像である「標準モード表示画像」と「警告表示画像」および「カスタムモード表示画像」の一例を示す正面図である。
【図４】図４は、車両用表示装置の「警告表示画像」の一例である「運転免許証所持の有無を表示する表示画像」を示す正面図である。
【図５】図５は、車両用表示装置の「後方確認表示画像」と「車体図表示画像」の一例を示す正面図である。
【図６】図６は、車両用表示装置の「ナビ情報表示画像」とそのナビ情報とユーザが求める「カスタムモード表示画像」との組み合わせによる「表示画像」を示す正面図である。
【発明を実施するための最良の形態】
【００２５】
本発明の対象とする車両用表示装置として、自動車に搭載される表示パネル（フラットディスプレイパネル）からなる指示計器による車両用表示装置を例にして詳述する。
【００２６】
以下本発明の第１の実施形態を添付図面に基づいて説明する。図１から図６は本発明の実施形態を示すもので、車両の運転席の前方に表示パネルＰ（フラットディスプレイパネル）からなる車両用表示装置が装備されている。
【００２７】
車両用表示装置は、画像表示装置１００と、この画像表示装置１００に各種の様々な車両情報を表示画像ＧＲとして表示させる制御手段２００とを備えており、この制御手段２００には車両情報検出手段３００からの各入力信号を受信可能に構成している。なお、車両に搭載された車両用表示装置は、イグニッションスイッチＩＧのＯＮ、ＯＦＦ動作に基づき表示が成されるように構成されている。
【００２８】
本実施形態にあっては、表示パネルＰに表示する表示画像ＧＲとして、車両情報を表示する車両情報表示画像ＧＲＤと、車両の図形を表す車体図表示画像ＧＲＣとを少なくとも備えている。
【００２９】
また車両情報表示画像ＧＲＤとしては、車両が通常の条件において走行するに際し必要な標準モード表示画像ＧＲ１（車両走行時に必要な標準モード表示画像ＧＲ１）と、車両の異常状態に対応した警告表示画像ＧＲ２とを備えるとともに、本実施形態においては、ユーザが求める情報を選択して表示するカスタムモード表示画像ＧＲ３をも備えている。
【００３０】
画像表示装置１００は、例えば透過型のマトリックス状に複数の画素が形成されている液晶からなる表示パネルＰを用いている。
【００３１】
制御手段２００は、ＣＰＵ，ＲＯＭ，ＲＡＭおよび入出力インターフェース等を備えたマイクロコンピュータから構成される。制御手段２００は、車両情報検出手段３００から入力信号（入力情報）を受信し、この入力信号に基づいて車両情報の計測データを所定の演算処理によって求め、この計測データに応じた駆動信号を所定周期で求め、この計測データに応じた駆動信号を所定周期で画像表示装置１００へ出力して画像表示装置１００を表示駆動させるものである。
【００３２】
さらに制御手段２００は、所定の切換信号に応じて画像表示装置１００の表示モードの切り換えを行う切替手段２０１の機能を有している。この際、切替手段２０１として、車両の状況に応じて自動的に切り換えができるように制御したり、あるいはユーザが手動にて任意に選択をして切り換え制御することができるように設定されている。
【００３３】
車両情報検出手段３００は、車両情報を検出するものであり、本実施形態では車両情報として、車両の速度を計測する（速度計１）、エンジンの回転数を計測する（回転計２）、車両の走行距離を計測するオドメータ、トリップメータなどからなる（走行距離計３）、燃料の残存量を計測する（燃料計４）、エンジンの水温を計測する（水温計５）、ギヤポジションの表示を行う（ギヤポジション表示器６）、車両の進行方向を表示する（方向指示表示器７）など通常走行時に必要な車両情報を表示パネルＰに表示する標準モード表示画像ＧＲ１として表示するために、その検出手段として前述した車両の速度を計測する（速度計１）においてはスピードセンサＳ１、エンジンの回転数を計測する（回転計２）エンジン回転センサＳ２、車両の走行距離を計測する走行距離センサＳ３、燃料の残存量を計測する残量検出センサＳ４、エンジンの水温を計測する温度センサＳ５、ギヤポジション位置検出センサＳ６など各種のセンサＳｎなどからなる。このように車両情報検出手段３００によって検出された前記各センサＳ１，Ｓ２，Ｓ３，Ｓ４，Ｓ５，Ｓ６，Ｓｎなどから得られた計測情報（状態信号）は、制御手段２００を通じて処理され、標準モード表示画像ＧＲ１からなる車両情報として画像表示装置１００に表示される。
【００３４】
また、車両の状態を表示したり、車両の状態を監視する集中ウォーニング表示器などの警告表示内容を車両情報として表示パネルＰに表示する警告表示画像ＧＲ２としては、例えばシートベルトの警告表示Ｗ１、サイドブレーキの状態を表す警告表示Ｗ２、燃料残量警告表示Ｗ３、バッテリーの電圧低下表示Ｗ４、前照灯のライトの上向きを表示する報知表示Ｗ５、運転免許証所持の警告表示Ｗ６、あるいはアルコール摂取の有無表示Ｗ７などとを備えており、この警告表示内容を検出するために、車両情報検出手段３００には、シートベルトの装着を検出するセンサＳＷ１、サイドブレーキを引いているかどうかを判別するセンサＳＷ２、燃料が所定量以下であるかを検出する燃料残量警告センサＳＷ３，バッテリーの電圧を検知するセンサＳＷ４などを含む各種の報知用あるいは警告検出用のセンサＳＷ１，ＳＷ２，ＳＷ３，ＳＷ４，ＳＷｎなどから得られた計測情報（状態信号）は、制御手段２００を通じて処理され、警告表示画像ＧＲ２からなる車両情報として画像表示装置１００に表示される。
【００３５】
また、ユーザが求める情報を選択して表示するカスタムモード表示画像ＧＲ３は、前述した各種のセンサＳ１，Ｓ２，Ｓ３，Ｓ４，Ｓ５，Ｓ６，Ｓｎなどから得られた計測情報（状態信号）や各種の報知用，警告検出用のセンサＳＷ１，ＳＷ２，ＳＷ３，ＳＷ４，ＳＷｎなどから得られた計測情報（状態信号）を切替手段２０１の指示に従って制御手段２００を通じて処理され、ユーザである運転者が任意に選択した表示項目の情報をカスタムモード表示画像ＧＲ３として画像表示することができるように設けられている。
【００３６】
このように構成された本実施形態における車両用表示装置において、図２に示すように、表示パネルＰの右側には、通常の走行時に必要な標準モード表示画像ＧＲ１である車両の速度を計測する速度計１、エンジンの回転数を計測する回転計２、車両の走行距離を計測するオドメータである走行距離計３、燃料の残存量を計測する燃料計４、エンジンの水温を計測する水温計５などが配置されており、下段中央にはギヤポジションの表示を行うギヤポジション表示器６が配置され、上段中央には車両の進行方向を表示する方向指示表示器７が配置されている。
【００３７】
また図２において、表示パネルＰの左側下段には、車両の状態を監視する警告表示内容を表示する警告表示画像ＧＲ２であるシートベルトの警告表示Ｗ１、サイドブレーキの状態を表す警告表示Ｗ２、バッテリーの電圧低下表示Ｗ４、前照灯のライトの上向きを表示する報知表示Ｗ５などが配置され、この警告表示画像ＧＲ２と前述した通常の走行時に必要な標準モード表示画像ＧＲ１とによって車両情報表示画像ＧＲＤが表示パネルＰ上に画像が表示されるとともに、警告表示画像ＧＲ２の上側には車両の図形を表す車体図表示画像ＧＲＣが配置され、車体図表示画像ＧＲＣの下側には標準モード表示画像ＧＲ１の一つである車両の走行距離を計測するトリップメータである走行距離計３の表示画像が配置されている。
【００３８】
従って、図２に示す本実施形態における車両用表示装置にあっては、車両情報検出手段３００から得られた車両情報を表示画像ＧＲとして車両情報表示画像ＧＲＤと車体図表示画像ＧＲＣとして併記して表示することにより、斬新な演出効果を達成することができるとともに、表示パネルＰ（表示画像ＧＲ）の表示制御を行う制御手段２００によって切替手段２０１の指示に従ってタイムリーに必要とする表示画像ＧＲが判読することができるため、安全性を確保しつつ見やすい車両用表示装置を提供することができる。この際、必要な標準モード表示画像ＧＲ１と車両の異常状態に対応した警告表示画像ＧＲ２とを車体図表示画像ＧＲＣと併記して表示することにより、警報表示を行う表示項目を強調して表示することができる。
【００３９】
また図３では車両用表示装置において、図２における必要な標準モード表示画像ＧＲ１と車両の異常状態に対応した警告表示画像ＧＲ２とを車体図表示画像ＧＲＣと併記して表示する表示画像に加え、各種の前記車両情報の中から任意に選定したユーザが求める情報を選択して表示するカスタムモード表示画像ＧＲ３が追加されている。
【００４０】
この場合、カスタムモード表示画像ＧＲ３の表示項目としては、「平均燃費表示」、「オイル交換時期表示」、「車検までの日数表示」、「イグニッションスイッチＯＮ後の今回の走行距離表示」、「残燃料に対する残存走行距離表示」、「車間距離表示」など様々な表示項目を、制御手段２００の切替手段２０１を介して手動にて任意に選択をして切り換え制御することができるように設定している。
【００４１】
このようにカスタムモード表示画像ＧＲ３の表示項目を追加することにより、運転者が任意に選択した表示項目の情報を強調して画像表示することができ、しかも即座に判別することが可能となるという利点がある。
【００４２】
図４は標準モード表示画像ＧＲ１と車両の異常状態に対応した警告表示画像ＧＲ２とを車体図表示画像ＧＲＣと併記して表示する表示画像ＧＲにおいて、警告表示画像ＧＲ２の一例として免許証不携帯時を知らせる表示画像ＧＲＬ（運転免許証所持の警告表示Ｗ６）が車体図表示画像ＧＲＣ（車体の一部であるハンドル）および免許証挿入部）上もしくは車体図表示画像ＧＲＣと隣接した箇所に免許証挿入部および免許証の画像として設けられるとともに、文字情報からなる表示画像ＧＲＷ（「免許証未挿入」）が併記されるように表示されている。この実施例においては、イグニッションスイッチＩＧのＯＮ信号を検出したときに運転免許証所持の有無を表示してなるように設定している。
【００４３】
このように運転免許証所持の警告表示Ｗ６としては、車体図表示画像ＧＲＣ（車体の一部であるハンドル）および（免許証挿入部）の画像とともに、文字情報からなる表示画像ＧＲＷ（「免許証未挿入」）を併記することにより、免許証不携帯時であることが瞬時に判別することができ、運転を見合わせることができるものであり安全運転に寄与することができるという効果がある。
【００４４】
また図示はしないが、警告表示画像ＧＲ２の他の例として、イグニッションスイッチＩＧのＯＮ信号を検出したときに「アルコール摂取の有無表示Ｗ７」を表示してなるように構成することにより、例えば車両の運転座席に着座した際に運転者がアルコールを摂取していることを呼気検出などのセンサなどを介して摂取したか否かを表示パネルＰの警告表示画像ＧＲ２において表示することによって瞬時に判別することができ、これにより車両の運転を行うのに不適切であることが即座に理解することができ、これにより運転を中止ことができるため安全運転に寄与することができるという効果がある。
【００４５】
図５は、車両の後退時における表示パネルＰの表示画像ＧＲを示すもので、この場合、車体図表示画像ＧＲＣに加え、後方確認表示画像ＧＲＲが設定されており、車体図表示画像ＧＲＣと隣接して車両の後方を確認する後方確認車両情報ＤＲが設けられるものであり、この後方確認車両情報ＤＲとして接近物を知らせる表示画像ＤＲ１が車体図表示画像ＧＲＣと隣接して配置されるとともに、車体と接近物との接近状態を知らせる文字情報表示画像ＤＲ２（「後方左側注意！！」）が併記されるように設けられている。
【００４６】
このように各種の車両情報において、車両の後方を確認する後方確認表示画像ＧＲＲと車体図表示画像ＧＲＣとを並べて表示してなるとともに、車両情報の一つとして車両の後方を確認する後方確認車両情報ＤＲを車体図表示画像ＧＲＣと隣接して表記することにより、安全性を確認しながら所定の場所まで後退することが可能となる。この際、後方確認車両情報ＤＲと同時にスピーカなどからなる音声情報によって後方の確認を促すように設けても良いものである。
【００４７】
図６は、表示パネルＰには車両情報表示画像ＧＲＤと車体図表示画像ＧＲＣに加え、ナビ情報表示画像ＧＲＮが設けられ、通常のナビ情報とユーザが求める車両情報の中から任意に選定した情報、例えば目的地までの距離に加えて目的地の方向などを情報とを組み合わせて切り換え表示可能に設けてなることにより、運転者（ユーザ）が任意に選択した表示項目の情報を強調して画像表示することができ、斬新な演出効果を達成することができる。
【００４８】
また本発明は上述した実施形態に限定されるものではない。本発明の要旨を変更しない範囲で、適宜、実施形態、および図面に変更を加えることが可能である。例えば車両用表示装置において、警告表示画像ＧＲ２には、車体図表示画像ＧＲＣを警告の種別内容に応じた画像に切り換え表示するとともに、図形または文字，数値，音声などによって警告表示したり、あるいは組み合わせて警告表示することにより、図形化した車体図により視認性を良好にしつつ躍動感が得られ、警報表示を行う表示項目を強調して表示することができるとともに、文字，数値，音声などによる警告表示によって即座に判別することが可能となる。
【００４９】
またユーザが求める情報としては、前述した実施形態に限らず、「外気温の表示」、「アイドリング時間の表示」、「イグニッションスイッチの作動毎における走行距離と平均燃費」など様々な表示項目があげられるものであり、また、例えば車両情報の表示画像ＧＲを強調して表示するに際し、表示する画像の大きさや配置あるいは色合いなど任意に変えることにより見やすい表示画像ＧＲを提供することが可能となる。
【００５０】
また車両の様々な情報を見たい場合にあっては、ユーザが求める情報として標準モード表示画像ＧＲ１を選択することによって各種の車両情報を子細に読み取ることができるとともに、例えば保安基準に合わせて必要最小限の表示情報を見たい場合に合っては、切替手段２０１の指示に従ってシンプルモードとなる表示画像の表示へと切り替えることも可能であり、必要な情報を即座に読み取ることが可能となる。
【産業上の利用可能性】
【００５１】
また、前述した実施形態において詳述したように、自動車における車両用表示装置を例にして説明したが、自動車に限らず、オートバイなどの車両や農業用機械，建設機械などの特殊車両などの表示装置においても適用することが可能であり、同様な効果を得ることができる。
【符号の説明】
【００５２】
１    速度計
２    回転計
３    走行距離計
４    燃料計
５    水温計
６    ギヤポジション表示器
７    方向指示表示器
１００    画像表示装置
２００    制御手段
２０１    切替手段
３００    車両情報検出手段
ＤＲ    後方確認車両情報
ＤＲ１    接近物を知らせる表示画像
ＤＲ２    文字情報表示画像
ＧＲ    表示画像
ＧＲＣ    車体図表示画像
ＧＲＤ    車両情報表示画像
ＧＲＬ    免許証不携帯時を知らせる表示画像
ＧＲＮ    ナビ情報表示画像
ＧＲＲ    後方確認表示画像
ＧＲＷ    文字情報からなる表示画像
ＧＲ１    標準モード表示画像
ＧＲ２    警告表示画像
ＧＲ３    カスタムモード表示画像
ＩＧ    イグニッションスイッチ
Ｐ    表示パネル
Ｓ１，Ｓ２，Ｓ３，Ｓ４，Ｓ５，Ｓ６，Ｓｎ    センサ
ＳＷ１，ＳＷ２，ＳＷ３，ＳＷ４，ＳＷｎ    センサ
Ｗ１    シートベルトの警告表示
Ｗ２    サイドブレーキの状態を表す警告表示
Ｗ３    燃料残量警告表示
Ｗ４    バッテリーの電圧低下表示
Ｗ５    前照灯のライトの上向きを表示する報知表示
Ｗ６    運転免許証所持の警告表示
Ｗ７    アルコール摂取の有無表示
【図１】
2014046835.tif 000003
【図２】
2014046835.tif 000004
【図３】
2014046835.tif 000005
【図４】
2014046835.tif 000006
【図５】
2014046835.tif 000007
【図６】
2014046835.tif 000008